(57)【要約】      （修正有）【課題】トラックやタクシーなどの車両の室内を良好に抗菌・消臭する車両室内抗菌装置を提供する。【解決手段】抗菌機能を有する光を出力する抗菌ライト１００と、抗菌機能を有する抗菌水を噴霧する抗菌水噴霧器２００の両方を、車両の室内にそれぞれ設置した車両室内抗菌装置であって、抗菌ライトは、冷陰極管と、該冷陰極管が収納されるとともに、少なくとも一部が透光性を有するケースと、該ケースの透光性を有する部分に設けられた、ナノサイズの銀と酸化チタンの化合物を含むコーティング層と、を有し、抗菌水噴霧器は、シリカ粒子に銀粒子が付着したナノシルバーコロイドを含む抗菌水を、超音波によって噴霧する。【選択図】図１
0003231926.tif 000002
【実用新案登録請求の範囲】
【請求項１】
抗菌機能を有する光を出力する抗菌ライトと、抗菌機能を有する抗菌水を噴霧する抗菌水噴霧器の両方を、車両の室内にそれぞれ設置したことを特徴とする車両室内抗菌装置。
【請求項２】
前記抗菌ライトは、
冷陰極管と、
該冷陰極管が収納されるとともに、少なくとも一部が透光性を有するケースと、
該ケースの透光性を有する部分に設けられた、ナノサイズの銀と酸化チタンの化合物を含むコーティング層と、
を有することを特徴とする請求項１記載の車両室内抗菌装置。
【請求項３】
前記抗菌水噴霧器は、
シリカ粒子に銀粒子が付着したナノシルバーコロイドを含む抗菌水を、超音波によって噴霧することを特徴とする請求項１又は２記載の車両室内抗菌装置。
【請求項４】
前記車両の室内が、車両の運転席を含む室内であることを特徴とする請求項１〜３のいいずれか一項に記載の車両室内抗菌装置。
【請求項５】
請求項１〜４のいずれか一項に記載の車両室内抗菌装置を備えたことを特徴とする車両。
【考案の詳細な説明】
【技術分野】
【０００１】
本考案は、室内空間に対して抗菌（除菌を含む。）・消臭等を行う車両室内抗菌装置及びに関し、更に具体的には、トラック・タクシー・バスなどの車両の室内における衛生面の向上に関するものである。
【背景技術】
【０００２】
近年、室内空間に対して除菌・抗菌などを行って清潔に保つようにするニーズが高まってきている。例えば、下記特許文献１には、金属イオン水生成手段である銀イオン溶出ユニットと、その制御部と、霧化ノズルとを筐体内に備えており、筐体外には人感センサーを備えたミスト噴霧装置が開示されている。これによれば、ミスト噴霧装置から噴霧された抗菌性を有する金属イオン水が、人体だけでなく、部屋の内壁や天井，床面，部屋内に置かれている椅子などに付着し、カビやヌメリの発生が防止されるようになる。
【先行技術文献】
【特許文献】
【０００３】
【特許文献１】特開２００７−６８５８６号公報
【考案の概要】
【考案が解決しようとする課題】
【０００４】
しかしながら、上述した背景技術では、ミスト噴霧装置の構造が複雑で、例えば、電車・バス・タクシー等の乗り物の車内に設置するには不向きである。
【０００５】
本考案は、以上のような点に着目したもので、トラックやタクシーなどの車両の室内を良好に抗菌・消臭することができる車両室内抗菌装置及び車両を提供することを、その目的とする。
【課題を解決するための手段】
【０００６】
本考案の車両室内抗菌装置は、抗菌機能を有する光を出力する抗菌ライトと、抗菌機能を有する抗菌水を噴霧する抗菌水噴霧器の両方を、車両の室内にそれぞれ設置したことを特徴とする。主要な形態の一つによれば、前記抗菌ライトは、冷陰極管と、該冷陰極管が収納されるとともに、少なくとも一部が透光性を有するケースと、該ケースの透光性を有する部分に設けられた、ナノサイズの銀と酸化チタンの化合物を含むコーティング層と、を有することを特徴とする。他の形態によれば、前記抗菌水噴霧器は、シリカ粒子に銀粒子が付着したナノシルバーコロイドを含む抗菌水を、超音波によって噴霧することを特徴とする。更に他の形態によれば、前記車両の室内が、車両の運転席を含む室内であることを特徴とする。本考案の車両は、前記いずれかの車両室内抗菌装置を備えたことを特徴とする。本考案の前記及び他の目的，特徴，利点は、以下の詳細な説明及び添付図面から明瞭になろう。
【考案の効果】
【０００７】
本考案によれば、車両内に、抗菌ライトと抗菌水噴霧器を設けることとしたので、室内を全体として良好に抗菌・消臭を行うことができる。
【図面の簡単な説明】
【０００８】
【図１】本考案をトラックの運転席に適用した実施例を示す図である。
【図２】前記実施例における抗菌ライトの一例を示す図である。
【図３】前記実施例における抗菌水噴霧器の一例を示す図である。
【図４】本考案の他の実施例を示す図である。
【考案を実施するための形態】
【０００９】
以下、本考案を実施するための最良の形態を、実施例に基づいて詳細に説明する。
【実施例１】
【００１０】
図１には、本考案をトラックの運転席に適用した実施例が示されている。同図において、運転席１０には、ハンドル１２，メーター１４，アクセルやブレーキのペダル１６，シフトレバー１８，ダッシュボード２０，シート３０などが設けられている。これらは、一般的なトラック，バス，タクシーなどの運転席と同じであり、公知の構成である。更に本実施例では、運転席のペダル１６が設けられている下部の側面に、抗菌ライト１００が設けられており、また、ダッシュボード２０には、抗菌水噴霧器２００が設けられている。
【００１１】
これらのうち、抗菌ライト１００としては、抗菌機能を有する光源が使用される。例えば、実用新案登録第３２１２４６３号に開示されている銀ナノイオンと酸化チタンを利用するライトユニットが好適な例である。図２には、抗菌ライト１００が示されており、同図(A)に示すように、前記抗菌ライト１００は、ケース１０２内に、ＣＣＦＬ（冷陰極管）ライト１１０が収納された構造となっている。前記ＣＣＦＬライト１１０は、略円筒状のカバー１１２の内側が、基台１１３によって分割されている。前記カバー１１２は、図示の例では、右半分（抗菌ライト１００の背面側）が透光性を有しない不透光部１１２Ａであり、左半分（抗菌ライト１００の正面側）が透光性を有する透光部１１２Ｂである。透光部１１２Ｂとしては、例えば、ポリカーボネートを用いるが、上述したカバー１１２のように、色合いには限定されず、乳白色などの非透明な部材を用いるようにいてもよい。
【００１２】
前記カバー１１２内には、前記基台１１３の左側に、２本のＣＣＦＬ（冷陰極管）１１６Ａ，１１６Ｂが配置されている。ＣＣＦＬ構造自体は公知であるため、詳細な説明は省略するが、蛍光ランプ構造との主な違いは、電極部分である。また、前記基台１１３の右側には、内部電源１２０が設けられている。更に、前記カバー１１２の透光部１１２Ｂの表面には、抗菌機能及び消臭機能を発揮させるためのコーティング層１１４が設けられている。なお、ここでいう「抗菌」とは、殺菌や除菌を含むものとする。前記カバー１１２の両端には、前記ケース１０２の側面に取り付けるための口金やピンが設けられている（図示せず）。
【００１３】
前記コーティング層１１４は、ナノサイズまで細かく砕いた銀と、酸化チタンとの化合物を含む。前記コーティング層１１４に、前記ＣＣＦＬ１１６Ａ，１１６Ｂの点灯によって「電気（電荷）と「光」を与えることにより、銀（ナノシルバー）から、イオン化した銀ナノイオンが発生し、酸化チタンに光触媒反応が生じて活性酸素が発生する。銀イオンの発生には電荷が必要（すなわち、蛍光灯と同様の放電のしくみが必要）であり、酸化チタンは、ごく微量の紫外線で触媒反応を起こすが、ＣＣＦＬを利用することで、銀ナノイオンと活性酸素の発生が可能となる。なお、ＣＣＦＬ素子自体はＬＥＤではないが、冷陰電極構造のため、(1)あまり熱をださず、(2)蛍光灯に近い色合いで、(3)寿命も設計上５万時間ある，などの利点がある。また、(4)省エネ効果も高く、従来の蛍光管と比較して約半分の電力で点灯することができる。
【００１４】
発生した銀ナノイオンは、接触した菌やウイルスの細胞膜を破壊して、細胞内へ入り込み、細胞分裂を阻害して死滅させる。銀は、６５０種類以上の菌に対して、このような抗菌（殺菌・除菌を含む）効果が見込まれる。また、活性酸素は、接触した有機化合物を酸化分解する。ここで、有機化合物とは、菌，ウイルス，花粉，ｐｍ２．５や、臭いの発生元なども含む。
【００１５】
次に、抗菌水噴霧器２００としては、公知の超音波加湿器などを利用することができ、図３(A)に示すように、操作スイッチ２０２，噴霧口２０４，給水タンク２１０が設けられている。これら超音波加湿器の構成は、一般的に知られている。本実施例の給水タンク２１０には、抗菌水が貯蔵される。抗菌水としては、どのようなものを用いてもよいが、例えば、ナノシルバーコロイド（ＴＳＳＣ）を含むアルコールなどを用いる。ナノシルバーコロイドは、同図(B)に示すように、シリカ粒子２１２に銀粒子２１４が付着したもので、優れた抗菌・消臭効果を有する。これを混合した溶液を抗菌水として使用する。
【００１６】
次に、本実施例の全体的な動作について説明する。まず、抗菌ライト１００を点灯すると、電気（電荷）と光を与えることにより、銀ナノイオンが生じ、運転席１０内の空間に対して抗菌効果を発揮するとともに、酸化チタンに光触媒反応が生じて活性酸素が発生し、消臭効果を発揮する。これに加えて、本実施例では、抗菌水噴霧器２００から抗菌水が噴霧され、噴霧された抗菌水は、運転席１０の室内に漂うことで、抗菌作用を奏するとともに、シート３０など運転席１０の内側の表面全体に付着し、抗菌・消臭などの作用を発揮するようになる。
【００１７】
この場合において、本実施例では、抗菌ライト１００が運転席１０側に設けられている。このため、シート３０，シートベルト（図示せず），ハンドル１２のカバーなどの抗菌・除菌が行われるようになり、また、エアコンからの吹出しの臭いやたばこの臭いなどの消臭も行われるようになる。一方、抗菌水噴霧器２００から抗菌水が噴霧され、運転席１０の室内における抗菌・消臭も行われるようになる。
【００１８】
ところで、抗菌ライト１００は、長期間の寿命があるので頻繁に交換する必要はないが、抗菌水噴霧器２００は、抗菌水を適宜補充する必要がある。しかし、本実施例によれば、抗菌ライト１００と抗菌水噴霧器２００を併用しているため、抗菌水の噴霧量ないし噴霧回数を減らしても良好な抗菌・消臭効果を維持することができる。加えて、抗菌ライト１００の光が届かないようなところにも、抗菌水が届くようになり、全体として、抗菌・消臭効果の向上を図ることができ、それらの持続性も向上するようになる。
【００１９】
なお、本考案は、上述した実施例に限定されるものではなく、本考案の要旨を逸脱しない範囲内において種々変更を加え得ることができる。例えば、以下のものも含まれる。
(1)前記実施例では、トラックの運転席１０に抗菌ライト１００と抗菌水噴霧器２００を設けたが、設置個所は、必要に応じて適宜変更してよい。例えば、設置個数も、必要に応じて適宜増減してよい。更に、トラック以外のタクシーなどにも設置してよい。図４(A)は、トラックにおける抗菌ライト１００及び抗菌水噴霧器２００の他の設置例を示しており、座席の後ろ側や天井，荷室などに設置してよい。同図(B)は、タクシーや乗用車における設置例を示しており、座席の側面，後ろ側，天井，トランクルームなど、適宜の位置としてよい。特に、抗菌ライト１００の光が届きにくいようなところに、抗菌水噴霧器２００を設置することで、全体としてバランスを取れた抗菌・消臭を行うことができる。例えば、座席の下や後ろ，足元などである。
(2)抗菌水噴霧器２００による噴霧は、手動で行ってもよいが、制御装置２２０を設け、一定時間の経過毎に噴霧を行うようにしてもよい。また、車両のパーキングブレーキやエンジンの運転状態を検知し、エンジンが停止中であって、かつ、パーキングブレーキがＯＮとなっている状態を確認して、噴霧を行うようにしてもよい。
(3)前記実施例では、抗菌ライト１００として、ナノサイズの銀と酸化チタンの化合物を含むコーティング層を有するものを用いたが、抗菌・消臭の効果を有するものであれば、各種のものを用いてよい。抗菌水噴霧器２００についても、同様に、各種の抗菌水を用いてよい。
【産業上の利用可能性】
【００２０】
本考案によれば、車両内に、抗菌ライトと抗菌水噴霧器を設けることとしたので、室内を全体として良好に抗菌・除菌・消臭することができ、トラック，タクシー，バスなどの車両室内に好適である。
【符号の説明】
【００２１】
１０：運転席
１２：ハンドル
１４：メーター
１６：ペダル
１８：シフトレバー
２０：ダッシュボード
３０：シート
１００：抗菌ライト
１０２：ケース
１１０：ＣＣＦＬライト
１１２：カバー
１１２Ａ：不透光部
１１２Ｂ：透光部
１１３：基台
１１４：コーティング層
１１６Ａ，１１６Ｂ：ＣＣＦＬ
１２０：内部電源
２００：抗菌水噴霧器
２０２：操作スイッチ
２０４：噴霧口
２１０：給水タンク
２１２：シリカ粒子
２１４：銀粒子
２２０：制御装置
【図１】
0003231926.tif 000003
【図２】
0003231926.tif 000004
【図３】
0003231926.tif 000005
【図４】
0003231926.tif 000006